(57)【特許請求の範囲】
【請求項１】
複数の印刷対象ファイルを取得し、ファイル特定情報と対応付けて記憶する記憶部と、
前記印刷対象ファイルに含まれる印刷用データを用いてインデックス印刷用のサムネイルデータを作成するサムネイルデータ作成手段と、
前記印刷対象ファイルの作成アプリケーションが文書データ作成系アプリケーションであるか判断する第１判断手段と、
前記第１判断手段が、前記印刷対象ファイルの作成アプリケーションは文書データ作成系アプリケーションではないと判断した時に、前記印刷対象ファイルのピクセルの平均的な設定明度が所定の値よりも大きいか否かを判断する第２判断手段と、
予め定められた標準出力寸法を有するとともに、前記印刷対象ファイルの作成アプリケーションが文書データ作成系アプリケーションではない時に、前記第２判断手段が前記印刷対象ファイルのピクセルの平均的な設定明度が所定の値よりも大きくないと判断した場合、前記印刷対象ファイルのサムネイル画像の印刷出力寸法を前記標準出力寸法よりも大きく設定するサムネイル出力寸法設定手段と、
各印刷対象ファイルに対応する前記サムネイル画像を前記サムネイルデータ作成手段が作成する前記サムネイルデータを用いて前記サムネイル出力寸法設定手段が設定する前記印刷出力寸法により、前記ファイル特定情報とともに、インデックス印刷出力するインデックス印刷出力手段と、
を備えることを特徴とする印刷装置。
【請求項２】
前記第１判断手段が、前記印刷対象ファイルの作成アプリケーションは文書データ作成系アプリケーションではないと判断した時において、前記第２判断手段が前記印刷対象ファイルのピクセルの平均的な設定明度が所定の値よりも大きいと判断した場合は、前記サムネイル出力寸法設定手段は、前記印刷対象ファイルのサムネイル画像の印刷出力寸法を前記標準出力寸法以下に設定することを特徴とする請求項１に記載の印刷装置。
【請求項３】
前記第１判断手段が、前記印刷対象ファイルの作成アプリケーションは文書データ作成系アプリケーションであると判断した場合は、前記サムネイル出力寸法設定手段は、前記印刷対象ファイルのサムネイル画像の印刷出力寸法を前記標準出力寸法よりも大きく設定することを特徴とする請求項１又は２に記載の印刷装置。
【請求項４】
前記サムネイル画像の印刷出力寸法が予め定められた複数の設定寸法階層に区分され、前記インデックス印刷出力手段は、前記サムネイル画像を前記設定寸法階層ごとに集合させた形で出力する請求項１ないし３のいずれか１項に記載の印刷装置。
【請求項５】
前記インデックス印刷出力手段は、前記サムネイル画像を大小順に並べて出力する請求項１ないし４のいずれか１項に記載の印刷装置。
【発明の詳細な説明】
【技術分野】
【０００１】
本発明は、印刷装置に関する。
【背景技術】
【０００２】
プリンタやＭＦＰ（Multiple Function Peripheral、複合機能周辺機器）等の印刷装置には、ＵＳＢ（Universal Serial Bus）メモリ等の記憶メディアを装着してその中にあるファイルを選択して印刷するダイレクト印刷機能を備えたものがある。この機能によりＰＣを使わずに気軽にファイルを印刷することができる。また、記憶メディアからファイルを読み出して、ファイルの内容を示す複数の画像をまとめて用紙に一覧印刷するインデックス印刷機能を備えたものもある（例えば、特許文献１）。このようなインデックス印刷機能のおかげで、ユーザは、多数のファイルの中から印刷対象のファイルを直感的に選択することができる。
【０００３】
使用者は、インデックス印刷によりファイルの内容を確認することで、目的とするファイルを特定できる。その後、使用者は、ファイル名を印刷装置に備えられたパネル上から選択してダイレクト印刷を実行している。
【０００４】
【特許文献１】特開２００５−３４９８２２号公報
【発明の開示】
【発明が解決しようとする課題】
【０００５】
しかしながら、データの種類（ドキュメントサイズ、フォーマット、色等）によっては、サムネイルが縮小されすぎたり、色が暗すぎたりして、サムネイルの内容が認識しにくい。そのため、サムネイル画像を作成するインデックス印刷を行っても、目的とするファイルを特定できないことが起こりうる。
【０００６】
本発明の課題は、データの種類等によってもサムネイル画像の内容の識別がしにくくならず、サムネイル画像の内容が認識しやすいインデックス印刷を行う印刷装置を提供することである。
【課題を解決するための手段及び発明の効果】
【０００７】
上記課題を解決するための本発明の印刷装置は、
複数の印刷対象ファイルを取得し、ファイル特定情報と対応付けて記憶する記憶部と、
印刷対象ファイルに含まれる印刷用データを用いてインデックス印刷用のサムネイルデータを作成するサムネイルデータ作成手段と、
印刷対象ファイルの作成アプリケーションが文書データ作成系アプリケーションであるか判断する第１判断手段と、
第１判断手段が、印刷対象ファイルの作成アプリケーションは文書データ作成系アプリケーションではないと判断した時に、印刷対象ファイルのピクセルの平均的な設定明度が所定の値よりも大きいか否かを判断する第２判断手段と、
予め定められた標準出力寸法を有するとともに、印刷対象ファイルの作成アプリケーションが文書データ作成系アプリケーションではない時に、第２判断手段が印刷対象ファイルのピクセルの平均的な設定明度が所定の値よりも大きくないと判断した場合、印刷対象ファイルのサムネイル画像の印刷出力寸法を標準出力寸法よりも大きく設定するサムネイル出力寸法設定手段と、
各印刷対象ファイルに対応するサムネイル画像をサムネイルデータ作成手段が作成するサムネイルデータを用いてサムネイル出力寸法設定手段が設定する印刷出力寸法により、ファイル特定情報とともに、インデックス印刷出力するインデックス印刷出力手段と、
を備える。
【０００８】
上記構成によれば、サムネイルデータ作成手段によって、記憶部に記憶された各印刷対象ファイルのサムネイルデータを作成し、サムネイル出力寸法設定手段によって、印刷対象ファイルの特性に応じてサムネイル画像の印刷出力寸法を設定して、インデックス印刷出力手段によって、設定された印刷出力寸法によりサムネイルデータを用いてサムネイル画像をインデックス印刷出力することができる。つまり印刷対象ファイルの特性に応じて、認識しやすい寸法となるようにサムネイル画像の印刷出力寸法を設定してインデックス印刷することができ、ユーザは、インデックス印刷の結果を見ることにより、目的とする印刷対象ファイルを探すことができる。
【０００９】
また、サムネイル出力寸法設定手段は、印刷対象ファイルから寸法設定用特徴情報を抽出する寸法設定用特徴情報抽出手段を有し、
寸法設定用特徴情報の内容と出力寸法との予め定められた対応関係に基づいて設定すべき出力寸法を決定する出力寸法決定手段を有する。
【００１０】
上記構成によれば、サムネイル出力寸法設定手段は、寸法設定用特徴情報抽出手段を有することから、印刷対象ファイルから寸法設定用特徴情報を抽出し、出力寸法決定手段は、寸法設定用特徴情報を基に、出力寸法を決定することができる。これにより、寸法設定用特徴情報から、ユーザが認識しやすい寸法にて、サムネイル画像をインデックス印刷することができる。
【００１１】
さらに、サムネイル出力寸法設定手段は、寸法設定用特徴情報として印刷対象ファイルの作成アプリケーションを特定する作成アプリケーション特定情報を使用する。上記構成によれば、印刷対象ファイルの作成アプリケーションによって、サムネイル画像の印刷出力寸法を設定することができる。
【００１２】
具体的には、サムネイル出力寸法設定手段が、予め定められた標準出力寸法を有すると共に、作成アプリケーション特定情報が文書データ作成系アプリケーションに対応するものである場合、標準出力寸法よりも大きい出力寸法を設定するように構成することができる。文書データ作成系アプリケーションによって作成された印刷対象ファイルは、テキスト（文字）を多く含むものであるため、サムネイル画像を作成した場合、他の印刷対象ファイルとの違いを認識しにくい。そこで、上記構成のように、文書データ作成系アプリケーションによって作成された印刷対象ファイルの場合は、標準出力寸法よりも大きい出力寸法とすることで、ユーザが認識しやすい大きさで、サムネイル画像をインデックス印刷出力することができる。
【００１３】
サムネイル出力寸法設定手段は、印刷対象ファイルが画像ファイルである場合に、寸法設定用特徴情報として画像を構成するピクセルの出力設定情報を使用するように構成することもできる。より具体的には、サムネイル出力寸法設定手段は、画像ファイルのピクセルの平均的な設定明度が小さくなるほど、出力寸法を大きく設定する。上記構成によれば、画像ファイルの設定明度に応じて、サムネイル画像の出力寸法を調整することができ、例えば、画像ファイルのピクセルの平均的な設定明度が小さくなるほど、出力寸法を大きく設定することにより、暗色系の画像ファイルは、サムネイル画像が大きく印刷出力されるため、ユーザは、暗色系の画像ファイルであっても認識しやすい。
【００１４】
さらにサムネイル出力寸法設定手段は、印刷対象ファイルが画像ファイルである場合に、寸法設定用特徴情報として画像ファイルのデータサイズを使用し、データサイズが大きいほど出力寸法を大きく設定するように構成することもできる。画像のデータサイズにかかわらず、すべての同じ寸法のサムネイル画像として出力すると大きく縮小されて、サムネイル画像を見てもどのような印刷対象ファイルであったかユーザが分からないことが生じ得るが、データサイズの大きいほど出力寸法を大きく設定することにより、縮小されすぎてサムネイル画像を見てもどの印刷対象ファイルであるかユーザが分からないということを防ぐことができる。
【００１５】
またサムネイル画像の印刷出力寸法が予め定められた複数の設定寸法階層に区分され、インデックス印刷出力手段は、サムネイル画像を設定寸法階層ごとに集合させた形で出力するように構成することもできる。上記構成によれば、サムネイル画像の大きさが揃った状態で集合して出力されることから、ユーザが認識しやすくなる。
【００１６】
或いは、インデックス印刷出力手段は、サムネイル画像を大小順に並べて出力するように構成してもよい。大小順に並べて出力することにより、ユーザがダイレクト印刷の対象とする画像ファイル或いは文書ファイルに含まれる画像を思い浮かべ、ざっと眺める際に視認性がよい。すなわちユーザはダイレクト印刷の対象ファイルを認識しやすくなる。
【発明を実施するための最良の形態】
【００１７】
以下図面を参照しつつ本発明の実施の形態について説明する。
【実施例１】
【００１８】
図１は、本発明の印刷装置１を示すブロック図である。印刷装置１は、例えば、複合機等として構成され、ＣＰＵ１０，ＲＡＭ１１，ＲＯＭ１２，ゲートアレイ１３，ＮＣＵ（Network  Control  Unit：網制御装置）１４，モデム１５，ＥＥＰＲＯＭ１６，コーデック１７，ＤＭＡＣ（Direct  Memory  Access  Controller）１８などを含んで構成されている。これらの部品はバスライン１９により相互に接続されている。バスライン１９には、アドレスバス、データバス、および制御信号線が含まれる。また、ゲートアレイ１３には読取部２１、印刷部２２、操作部２３、表示部２４、スロット部２５、及び外部接続部２６が接続されている。ＮＣＵ１４には、電話回線２７が接続されている。
【００１９】
ＣＰＵ１０は、複合機１の全体の動作を制御する。また、図２に示すように、ＲＯＭ１２には表示プログラム１２ａ、印刷プログラム１２ｂ、ＦＡＸ制御プログラム１２ｃ、スキャナ制御プログラム１２ｄ、コピー制御プログラム１２ｅ、インデックスデータ作成プログラム１２ｆ等の各種プログラムが記憶されている。表示プログラム１２ａは、ファイル名や画像（印刷イメージ）等を表示部２４に表示するためのプログラムである。また、印刷プログラム１２ｂは、印刷部２２によって印刷を行うためのプログラムである。インデックスデータ作成プログラム１２ｆは、複数の画像をまとめて１枚の用紙（又は複数の用紙）に一覧印刷するインデックス印刷を行うためのプログラムである。
【００２０】
これら表示プログラム１２ａ、印刷プログラム１２ｂ、インデックスデータ作成プログラム１２ｆをＣＰＵ１０が読み出して実行することで、本発明のサムネイルデータ作成手段、サムネイル出力寸法設定手段、インデックス印刷出力手段、寸法設定用特徴情報抽出手段が実現される。
【００２１】
また、ＲＯＭ１２に記憶されているＦＡＸ制御プログラム１２ｃ、スキャナ制御プログラム１２ｄ、コピー制御プログラム１２ｅは、それぞれＦＡＸ機能、スキャナ機能、コピー機能を制御するためのプログラムである。
【００２２】
印刷装置１には、ＮＣＵ１４が接続されており、このＮＣＵ１４は公衆電話回線２７に接続されて回線の接続／切断等の網制御を行うものである。また、ＲＡＭ１１はＣＰＵ１０の作業領域や読み取った画像の展開領域などのためにラインバッファメモリとして用いられる。またＲＡＭ１１は印刷対象ファイルをファイル特定情報と対応付けて記憶する記憶部である。モデム１５は、ファクシミリデータの変調や復調などを行う。ＲＯＭ１２は図２に示す各種プログラムの他、設定値などのデータを記憶している。ＥＥＰＲＯＭ１６は各種のフラグや設定情報などを記憶する。コーデック１７はファクシミリデータの符号化や復号化を行う。ＤＭＡＣ１８は、主にＲＡＭ１１へのデータの書き込みや読み出しを行う。
【００２３】
ゲートアレイ１３は、ＣＰＵ１０と読取部２１等の各部との入出力インターフェースとして機能する。読取部２１は、イメージセンサやＬＥＤ光源などを備え、原稿などから文字や図形などの画像を読み取る。印刷部２２は、たとえばインクジェット方式あるいは熱転写方式などにより、文字や図形などの画像を印刷する。操作部２３は、テンキーや文字キーなどのキースイッチ群を備え、ユーザのキー操作に応じた指令をＣＰＵ１０に伝える。表示部２４は、ＬＣＤなどのパネルを備え、動作状態や操作ガイダンスなどを表示する。スロット部２５は、例えば、スマートメディアやコンパクトフラッシュ（登録商標）、ＵＳＢメモリなど、フラッシュメモリを内蔵した複数種類の記憶メディア２８を接続するための複数のコネクタを備え、これらの記憶メディア２８が抜き差し可能であり、記憶メディア２８に対してデータを読み書きするリーダ／ライタとしての機能を有する。外部接続部２６は、たとえばセントロニクスパラレルインターフェイス、あるいはＵＳＢなどといった規格に対応する接続ポートを備え、パーソナルコンピュータ（ＰＣ）２９との間でデータや信号を交換する。
【００２４】
以上の構成の本発明の印刷装置１は、パーソナルコンピュータ２９からのアクセスに応じてスロット部２５に差し込まれた記憶メディア２８のデータをパーソナルコンピュータ２９に転送したり、削除するといったデータ操作処理を行うことができる。また、印刷装置１は、異なるタイプの記憶メディア２８を接続して読み書き可能である。
【００２５】
印刷装置１は、パーソナルコンピュータ２９の周辺機器としてデータを印刷する機能のほか、デジタルカメラなどで利用される記憶メディア２８をスロット部２５に差し込み、その記憶メディア２８から直接データを読み出して印刷する、いわゆるダイレクト印刷機能を備える。そして後述するように、印刷装置１は、記憶メディア２８に記憶された印刷対象ファイル（例えば、ｊｐｅｇ等の形式の画像ファイルやｐｄｆ(portable document format：アドビ社によって開発された電子文書フォーマット)形式の文書データ作成系アプリケーションによるファイル等）のサムネイル画像３３をインデックス出力するものである。
【００２６】
より詳しくは、印刷装置１は、印刷対象ファイルの特性に応じてサムネイル画像３３の出力寸法を調整して設定し、サムネイル画像３３をインデックス印刷出力する。例えば、印刷対象ファイルのフォーマット、明度、データサイズ等の寸法特徴情報により、サムネイル画像３３の寸法を変えることにより、サムネイル画像３３のインデックス印刷の結果を見やすくすることができる。このように、その印刷対象ファイルのサムネイル画像３３が、寸法設定用特徴情報を基に寸法を調整されてインデックス印刷されることから、そのインデックス印刷の結果をユーザが見ることにより、ユーザは、目的とする印刷対象ファイルを容易に見つけることが可能である。
【００２７】
図３を用いて、インデックス印刷処理を説明する。インデックス印刷は、例えば、記憶メディア２８に記憶された印刷対象ファイルをダイレクト印刷するために、目的とする印刷対象ファイルを探すために行われるものである。ユーザが印刷装置１の操作部２３のキースイッチ群の中のダイレクト印刷キーを押下すると、印刷装置１は、記憶メディア２８に記憶された印刷対象ファイルをダイレクト印刷するために、図３のフローチャートに従ったインデックス印刷処理を行う。
【００２８】
まず、印刷装置１のＣＰＵ１０は、スロット部２５にＵＳＢメモリ等の記憶メディア２８が装着されているかを判断する（Ｓ１）。記憶メディア２８が装着されていない場合は、ダイレクト印刷の対象となる印刷対象ファイルが存在しないため、処理を終了する。
【００２９】
スロット部２５に記憶メディア２８が装着されていれば（Ｓ１：ＹＥＳ）、印刷装置１のＣＰＵ１０は、ユーザによってインデックス印刷の選択がなされるかを監視し、ユーザが操作部２３を操作することにより、インデックス印刷の選択をすれば（Ｓ２：ＹＥＳ）、インデックスデータ作成プログラム１２ｆを実行して記録メディア２８に記憶されたインデックス印刷対象の印刷対象ファイルの内容を順番に解析する（Ｓ３）。そして、印刷対象ファイルのデータサイズ、フォーマット、色の情報等の寸法設定用特徴情報を、印刷対象ファイルを特定するためのファイル特定情報（ファイル名、サイズ、ページ数等）と共に、印刷対象ファイル毎にメモリ（ＲＡＭ１１）に格納する（Ｓ４）。
【００３０】
印刷装置１のＣＰＵ１０は、全印刷対象ファイルの解析が終了したかを判定し、終了していなければ（Ｓ５：ＮＯ）、Ｓ３に戻る。
【００３１】
全印刷対象ファイルの解析が終了すれば（Ｓ５：ＹＥＳ）、印刷装置１のＣＰＵ１０は、ファイル特定情報によりサムネイル画像３３の寸法（サムネイルサイズ）を設定する（Ｓ６）。
【００３２】
Ｓ６におけるサムネイル画像３３の寸法（サムネイルサイズ）の設定処理について、図４を用いて説明する。印刷装置１のＣＰＵ１０は、印刷対象ファイルのフォーマットがＰＤＦであるか否かを判断する（Ｓ１１）。印刷対象ファイルのフォーマットがＰＤＦである場合（Ｓ１１：ＹＥＳ）は、サムネイルサイズを大に設定する（Ｓ１４）。なお、標準的はサムネイル画像３３のサイズを中として印刷装置１のＲＯＭ１２に記憶されている。
【００３３】
フォーマットがＰＤＦである場合、文字が多く含まれることが多いため、サムネイルサイズを予め定められた標準寸法よりも大とすることにより、サムネイル画像３３の視認性をよくすることができる。つまり、サムネイル画像３３の寸法を決定する寸法設定用特徴情報として印刷対象ファイルの作成アプリケーションを特定する作成アプリケーション特定情報を使用し、作成アプリケーション特定情報が文書データ作成系アプリケーションに対応するものである場合、サムネイル画像３３を大とする。寸法設定用特徴情報は、例えば、印刷対象ファイルのヘッダ情報や拡張子から読み取られる。このように、文書データ作成系アプリケーションに対応するものである場合、サムネイル画像３３の寸法（サムネイルサイズ）を大とすることにより、サムネイル画像３３の視認性をよくすることができる。なお、文書データ作成系アプリケーションに対応するものとしては、ＰＤＦフォーマットに限られない。
【００３４】
印刷対象ファイルのフォーマットがＰＤＦでない場合（Ｓ１１：ＮＯ）は、印刷装置１のＣＰＵ１０は、印刷対象ファイルの平均的な設定明度を算出して、設定明度が所定の値よりも大きいか否かを判断する（Ｓ１２）。設定明度が所定の値よりも大きくない場合、つまり色が明るくない場合（Ｓ１２：ＮＯ）は、印刷装置１のＣＰＵ１０は、サムネイルサイズを大に設定する（Ｓ１４）。
【００３５】
印刷対象ファイルの平均的な設定明度が所定の値よりも小さい場合、色が暗い暗色系のものは、サムネイル画像３３が判別しにくくなるが、以上のようにサムネイルサイズを大に設定することにより、視認性を上げることができる。
【００３６】
一方、設定明度が所定の値よりも大きい場合、つまり色が明るい場合（Ｓ１２：ＹＥＳ）は、印刷装置１のＣＰＵ１０は、印刷対象ファイルのデータサイズを判断する（Ｓ１３）。例えば、印刷対象ファイルのデータサイズが（１）Ａ４より大きい場合は、サムネイルサイズを大に設定する（Ｓ１４）。印刷対象ファイルのデータサイズが（２）Ａ４の場合は、サムネイルサイズを中（標準出力寸法）に設定する（Ｓ１５）。或いは、印刷対象ファイルのデータサイズが（３）Ａ４より小さい場合は、サムネイルサイズを小に設定する（Ｓ１６）。以上のように、サムネイルサイズを設定して、Ｓ６に戻る。
【００３７】
次に、印刷装置１のＣＰＵ１０は、サムネイルサイズによって配置変換を行う（Ｓ７）。図５を用いて、配置変換について説明する。印刷装置１のＣＰＵ１０は、表示部２４に表示することにより、ユーザにインデックス印刷のフォーマットの選択を促す。ユーザが「大きさ毎に改行させて表示」を選択した場合（Ｓ２１：（１））、印刷装置１のＣＰＵ１０は、大きさ毎に改行させた配置でデータを生成する（Ｓ２２：図６（ｂ）参照）。ユーザが「改行無しで連続表示」を選択した場合（Ｓ２１：（２））、印刷装置１のＣＰＵ１０は、改行無しで連続させた配置でデータを生成する（Ｓ２３：図７参照）。ユーザが「大きさ毎にページを分離」を選択した場合（Ｓ２１：（３））、印刷装置１のＣＰＵ１０は、大きさ毎にページ分離させた配置でデータを生成する（Ｓ２４：図８参照）。
【００３８】
そして、印刷装置１のＣＰＵ１０は、生成されたデータが、印刷用紙３１の片面で全て表示可能であるかを判断する（Ｓ２５）。印刷用紙３１の片面で全て表示可能であれば（Ｓ２５：ＹＥＳ）、Ｓ７に戻る。印刷用紙３１の片面で全ての表示が不可能であれば、両面印刷を設定して（Ｓ２６）、Ｓ７に戻る。
【００３９】
図３に戻って、Ｓ７にてサムネイルサイズによる配置変換が終了すれば、インデックス印刷を行う（Ｓ８）。
【００４０】
図６〜図８を用いて、インデックス印刷の印刷出力例を示す。図６（ａ）は、印刷対象ファイルの特性に応じて調整して、大、中、小の３つの出力寸法によってサムネイル画像３３が印刷用紙３１にインデックス印刷された実施例を示す。但し、サムネイル画像３３の大きさによって集合させた形とはなっておらず、図３のＳ７（つまり図５のフローチャートに従った処理）を省略した場合の出力例を示している。図３のＳ７のサムネイルサイズによって配置変換を行えば、図６（ｂ）、図７、図８に示すようにサムネイル画像３３の大きさによって集合させた形で印刷出力される。
【００４１】
図６（ｂ）は、設定寸法階層１，２，３に区分され、設定寸法階層１には、大の寸法のサムネイル画像３３が、設定寸法階層２には、中のサムネイル画像３３が、設定寸法３には、小のサムネイル画像３３が集合した形で、かつ設定寸法階層ごとに改行された形で、印刷用紙３１に印刷出力された例である。これは、図５のＳ２１において、（１）「大きさ毎に改行させて表示」が選択された場合の印刷出力の例を示す。なお、各サムネイル画像３３の下には、ファイル特定情報としてのファイル名が出力されており、このサムネイル画像３３を参考として、目的とする印刷対象ファイルをユーザはダイレクト印刷することができる。ファイル特定情報として、ファイル名の他に、ファイルサイズ、ページ数等を表示するようにしてもよい。
【００４２】
図７は、設定寸法階層１，２，３に区分され、設定寸法階層１には、大の寸法のサムネイル画像３３が、設定寸法階層２には、中のサムネイル画像３３が、設定寸法３には、小のサムネイル画像３３が集合した形で、かつ設定寸法階層ごとに改行されずにスペースを空けない形で、印刷出力された例である。これは、図５のＳ２１において（２）「改行無しで連続表示」が選択された場合の印刷出力の例を示す。このように出力することにより、一枚の印刷用紙３１により多くのサムネイル画像３３をインデックス印刷することができる。
【００４３】
さらに図８は、設定寸法階層ごとに、異なる印刷用紙３１に印刷出力された例を示す。つまり、サムネイルサイズが大のサムネイル画像３３と、サムネイルサイズが中のサムネイル画像３３と、サムネイルサイズが小のサムネイル画像３３とが、別々の印刷用紙３１に印刷出力されている。これは、図５のＳ２１において（３）「大きさ毎にページを分離」が選択された場合の印刷出力の例を示す。なお、図は、サムネイル画像３３のファイル名の記載が省略されて記載されている。
【００４４】
以上の実施例において設定寸法階層が３つに区分されている例を示したが、４つ以上に区分されていてもよい。また、設定寸法階層に区分せずに、例えば、データサイズに応じて、比例的にサムネイル画像３３の大きさを決めるようにし、そのサムネイル画像３３を大小順に並べるようにしてもよい。或いは、小さいものから大きいものへと並べるようにしてもよい。このように大きさによってサムネイル画像３３を並べることにより、視認性がよくなる。
【００４５】
以上のように、印刷対象ファイルの特性に応じて、サムネイル画像３３の大きさを調整してインデックス印刷することにより、インデックス印刷の結果からユーザが目的とする印刷対象ファイルを見つけやすくすることができる。
【図面の簡単な説明】
【００４６】
【図１】本発明の一実施形態としての印刷装置を示すブロック図。
【図２】ＲＯＭに格納されたプログラムの例を示す図。
【図３】インデックス印刷を説明するフローチャート。
【図４】サムネイルサイズの設定を説明するフローチャート。
【図５】サムネイルサイズによる配置変換を説明するフローチャート。
【図６】設定寸法階層ごとの集合出力を示す図。
【図７】設定寸法階層ごとの集合出力の他の例を示す図。
【図８】設定寸法階層ごとに異なる印刷用紙に出力した例を示す図。
【符号の説明】
【００４７】
１    印刷装置
１０    ＣＰＵ
１１    ＲＡＭ
１２    ＲＯＭ
１２ａ  表示プログラム
１２ｂ  印刷プログラム
１２ｆ  インデックスデータ作成プログラム
２２    印刷部
２４    表示部
２５    スロット部
２８    記憶メディア
３１    印刷用紙
３３    サムネイル画像
【図１】
0004635907.tif 000002
【図２】
0004635907.tif 000003
【図３】
0004635907.tif 000004
【図４】
0004635907.tif 000005
【図５】
0004635907.tif 000006
【図６】
0004635907.tif 000007
【図７】
0004635907.tif 000008
【図８】
0004635907.tif 000009